(57)【要約】  眼鏡に伴う像の歪みを低減及び排除すべく人間の眼の屈折矯正を判定する方法、装置及びシステムが開示されている。いくつかの実施形態では、客観的屈折矯正モジュールは、被験者からの主観的フィードバックなしに眼の屈折異常を客観的に測定するように構成される。計算モジュールは、複数の客観的処方を生成するように構成される。フォロプターモジュールは、複数の客観的処方に基づいて複数の主観的球面屈折力を判定するための主観的屈折矯正を実行するように構成される。出力モジュールは、眼鏡の複数の処方を生成するように構成され、複数の処方は、（ａ）第１の主観的球面屈折力ｆｓ１、第１の客観的円柱屈折力Ｆｃ１、及び第１の客観的円柱角度Ｆａ１を有する第１の処方と、（ｂ）第２の主観的球面屈折力ｆｓ２、第２の客観的円柱屈折力Ｆｃ２、及び第２の客観的円柱角度Ｆａ２を有する第２の処方とを含む。
2019527846.tif 000002
【特許請求の範囲】
【請求項１】
眼鏡の屈折処方を判定する方法であって、
被験者の眼の屈折異常を測定するために、客観的屈折矯正装置を客観的に利用することを備え、前記客観的屈折矯正装置は、前記被験者からの主観的フィードバックを除外し、前記方法はさらに、
客観的に測定された前記眼の前記屈折異常から、前記被験者の複数の客観的処方を生成することを備え、
前記複数の客観的処方は、（ｉ）第１の客観的球面屈折力Ｆｓ１、第１の客観的円柱屈折力Ｆｃ１、及び第１の客観的円柱角度Ｆａ１を有する第１の客観的処方と、（ｉｉ）第２の客観的球面屈折力Ｆｓ２、第２の客観的円柱屈折力Ｆｃ２、及び第２の客観的円柱角度Ｆａ２を有する第２の客観的処方とを含み、
前記第１の客観的処方の前記第１の客観的円柱屈折力Ｆｃ１及び前記第１の客観的円柱角度Ｆａ１は、像の質のために最適化され、前記第２の客観的処方の前記第２の客観的円柱屈折力Ｆｃ２及び前記第２の客観的円柱角度Ｆａ２は、前記第１の客観的処方のそれと比較して低下される像の質のため、または異なる方向で低減される倍率差を得るために判定され、前記方法はさらに、
複数の主観的球面屈折力を判定するために主観的屈折矯正を実行するフォロプターを使用することを備え、前記複数の主観的球面屈折力は、第１の主観的球面屈折力ｆｓ１及び第２の主観的球面屈折力ｆｓ２を含み、前記フォロプターは、複数の球面レンズと円柱レンズとを含み、前記円柱レンズの制御は、前記複数の客観的処方にのみ基づいており、前記主観的屈折矯正は、前記フォロプターを介して表を読み取る前記被験者からの主観的フィードバックを必要とし、前記方法はさらに、
前記複数の客観的処方及び前記主観的屈折矯正から眼鏡の複数の処方を生成することを備え、前記眼鏡の複数の処方は、（ａ）前記第１の主観的球面屈折力ｆｓ１、前記第１の客観的円柱屈折力Ｆｃ１及び前記第１の客観的円柱角度Ｆａ１を有する第１の処方と、（ｂ）前記第２の主観的球面屈折力ｆｓ２、前記第２の客観的円柱屈折力Ｆｃ２、及び前記第２の客観的円柱角度Ｆａ２を有する第２の処方とを含む、方法。
【請求項２】
前記被験者によって与えられる最終的な好みに従って眼鏡の最終処方を生成することをさらに備え、前記最終的な好みは、前記被験者が前記生成された眼鏡の複数の処方に従う試用レンズを装着することに基づく、請求項１に記載の方法。
【請求項３】
前記眼鏡の最終処方は、球面収差をさらに含む、請求項２に記載の方法。
【請求項４】
前記客観的屈折矯正装置を使用することは、前記眼の波面誤差を測定することを含み、前記波面誤差は、前記眼のコマ収差及び球面収差を含む、請求項１に記載の方法。
【請求項５】
前記第１の客観的円柱屈折力と前記第２の客観的円柱屈折力とは、互いに異なる、請求項１に記載の方法。
【請求項６】
前記眼鏡の複数の処方は、（ｉ）前記被験者の左眼及び右眼用の屈折データ、及び（ｉｉ）前記被験者が以前装着していた眼鏡の屈折データのうちの少なくとも１つを考慮する、請求項５に記載の方法。
【請求項７】
前記第１の客観的円柱角度と前記第２の客観的円柱角度とは、互いに異なる、請求項１に記載の方法。
【請求項８】
前記眼鏡の複数の処方は、（ｉ）前記被験者の左眼及び右眼用の屈折データ、及び（ｉｉ）前記被験者が以前装着していた眼鏡の屈折データのうちの少なくとも１つを考慮する、請求項７に記載の方法。
【請求項９】
眼鏡の屈折処方を判定するシステムであって、
被験者の眼の屈折異常を客観的に測定するよう構成される客観的屈折矯正モジュールを備え、前記客観的屈折矯正モジュールは、前記被験者からの主観的フィードバックを除外し、前記システムはさらに、
客観的に測定された前記眼の前記屈折異常から前記被験者の複数の客観的処方を生成するように構成された計算モジュールを備え、
前記複数の客観的処方は、（ｉ）第１の客観的球面屈折力Ｆｓ１、第１の客観的円柱屈折力Ｆｃ１、及び第１の客観的円柱角度Ｆａ１を有する第１の客観的処方と、（ｉｉ）第２の客観的球面屈折力Ｆｓ２、第２の客観的円柱屈折力Ｆｃ２、及び第２の客観的円柱角度Ｆａ２を有する第２の客観的処方とを含み、
前記第１の客観的処方の前記第１の客観的円柱屈折力Ｆｃ１及び前記第１の客観的円柱角度Ｆａ１が像の質のために最適化され、前記第２の客観的処方の前記第２の客観的円柱屈折力Ｆｃ２及び前記第２の客観的円柱角度Ｆａ２は、前記第１の客観的処方のそれと比較して低下される像の質のため、または異なる方向で低減される倍率差を得るために判定される、システム。
【請求項１０】
前記客観的屈折矯正モジュールは、前記眼の波面誤差を測定するようにさらに構成され、前記波面誤差は、前記眼のコマ収差及び球面収差を含む、請求項９に記載のシステム。
【請求項１１】
前記第１の客観的円柱屈折力と前記第２の客観的円柱屈折力とは、互いに異なる、請求項９に記載のシステム。
【請求項１２】
前記眼鏡の複数の処方は、（ｉ）前記被験者の左眼及び右眼用の屈折データ、及び（ｉｉ）前記被験者が以前装着していた眼鏡の屈折データのうちの少なくとも１つを考慮する、請求項１１に記載のシステム。
【請求項１３】
前記第１の客観的円柱角度と前記第２の客観的円柱角度とは、互いに異なる、請求項９に記載のシステム。
【請求項１４】
前記眼鏡の複数の処方は、（ｉ）前記被験者の左眼及び右眼用の屈折データ、及び（ｉｉ）前記被験者が以前装着していた眼鏡の屈折データのうちの少なくとも１つを考慮する、請求項１３に記載のシステム。
【請求項１５】
前記眼鏡の複数の処方は、球面収差をさらに含む、請求項９に記載のシステム。
【請求項１６】
前記計算モジュールからの前記複数の客観的処方に基づいて複数の主観的球面屈折力を判定するための主観的屈折矯正を実行するように構成されたフォロプターモジュールをさらに備え、
前記複数の主観的球面屈折力は、第１の主観的球面屈折力ｆｓ１と第２の主観的球面屈折力ｆｓ２とを含み、前記フォロプターモジュールは、複数の球面レンズと円柱レンズとを含み、
前記円柱レンズの制御は、前記複数の客観的処方のみに基づいており、前記主観的屈折矯正は、前記フォロプターモジュールを介して表を読み取る前記被験者からの主観的フィードバックを必要とする、請求項９に記載のシステム。
【請求項１７】
前記複数の客観的処方及び前記主観的屈折矯正から、眼鏡の複数の処方を生成するように構成された出力モジュールをさらに備え、
前記複数の処方は、（ａ）前記第１の主観的球面屈折力ｆｓ１、前記第１の客観的円柱屈折力Ｆｃ１、及び前記第１の客観的円柱角度Ｆａ１を有する第１の処方と、（ｂ）前記第２の主観的球面屈折力ｆｓ２、前記第２の客観的円柱屈折力Ｆｃ２、及び前記第２の客観的円柱角度Ｆａ２を有する第２の処方とを含む、請求項１６に記載のシステム。
【請求項１８】
前記客観的屈折矯正モジュールは、前記眼の波面誤差を測定するようにさらに構成され、前記波面誤差は、前記眼のコマ収差及び球面収差を含む、請求項１７に記載のシステム。
【請求項１９】
前記第１の客観的円柱屈折力と前記第２の客観的円柱屈折力とは、互いに異なる、請求項１７に記載のシステム。
【請求項２０】
前記眼鏡の複数の処方は、（ｉ）前記被験者の左眼及び右眼用の屈折データ、及び（ｉｉ）前記被験者が以前装着していた眼鏡の屈折データのうちの少なくとも１つを考慮する、請求項１９に記載のシステム。
【請求項２１】
前記第１の客観的円柱角度と前記第２の客観的円柱角度が互いに異なる、請求項１７に記載のシステム。
【請求項２２】
前記眼鏡の複数の処方は、（ｉ）前記被験者の左眼及び右眼用の屈折データ、及び（ｉｉ）前記被験者が以前装着していた眼鏡の屈折データのうちの少なくとも１つを考慮する、請求項２１に記載のシステム。
【請求項２３】
前記眼鏡の複数の処方は、球面収差をさらに含む、請求項１７に記載のシステム。
【請求項２４】
眼鏡の屈折処方を判定するシステムであって、
被験者の眼の屈折データセットを受け取るように構成された入力装置モジュールと、
前記屈折データセットから前記眼のための複数の初期処方を生成するように構成された計算モジュールを備え、
前記複数の初期処方は、（ｉ）第１の初期球面屈折力Ｆｓ１、第１の初期円柱屈折力Ｆｃ１、及び第１の初期円柱角度Ｆａ１を有する第１の初期処方と、（ｉｉ）第２の初期球面屈折力Ｆｓ２、第２の初期円柱屈折力Ｆｃ２、及び第２の初期円柱角度Ｆａ２を有する第２の初期処方とを含み、
前記第１の初期処方の前記第１の初期円柱屈折力Ｆｃ１及び前記第１の初期円柱角度Ｆａ１は、像の質のために最適化され、前記第２の初期処方の前記第２の初期円柱屈折力Ｆｃ２及び前記第２の初期円柱角度Ｆａ２は、前記第１の初期処方のそれと比較して低下される像の質のため、または異なる方向で低減される倍率差を得るために判定され、前記システムはさらに、
前記複数の初期処方に基づく複数の主観的球面屈折力を判定するための主観的屈折矯正を行うよう構成されるフォロプターモジュールを備え、前記複数の主観的球面屈折力は、第１の主観的球面屈折力ｆｓ１と第２の主観的球面屈折力ｆｓ２とを含み、前記フォロプターモジュールは、複数の球面レンズと円柱レンズとを含み、前記円柱レンズの制御は、前記複数の初期処方にのみ基づいており、前記主観的屈折矯正は、前記フォロプターを介して表を読み取る前記被験者からの主観的フィードバックを必要とし、前記システムはさらに、
前記複数の客観的処方及び前記主観的屈折矯正から眼鏡の複数の処方を生成するように構成された出力モジュールを備え、前記複数の処方は、（ａ）前記第１の主観的球面屈折力ｆｓ１、前記第１の客観的円柱屈折力Ｆｃ１、及び前記第１の客観的円柱角度Ｆａ１を有する第１の処方と、（ｂ）前記第２の主観的球面屈折力ｆｓ２、前記第２の初期円柱屈折力Ｆｃ２、及び前記第２の初期円柱角度Ｆａ２を有する第２の処方とを含む、システム。
【請求項２５】
前記屈折データセットは、入力される球面屈折力、入力される円柱屈折力、及び入力される円柱屈折角度を含む、請求項２４に記載のシステム。
【請求項２６】
前記屈折データセットは、コマ収差及び球面収差を含む、請求項２４に記載のシステム。
【請求項２７】
前記第１の初期円柱屈折力と前記第２の初期円柱屈折力とは、互いに異なる、請求項２４に記載のシステム。
【請求項２８】
前記複数の初期処方は、（ｉ）前記被験者の左眼及び右眼用の屈折データ、及び（ｉｉ）前記被験者が以前装着していた眼鏡の屈折データのうちの少なくとも１つを考慮する、請求項２７記載のシステム。
【請求項２９】
前記第１の初期円柱角度と前記第２の初期円柱角度とは、互いに異なる、請求項２４に記載のシステム。
【請求項３０】
前記複数の初期処方は、（ｉ）前記被験者の左眼及び右眼用の屈折データ、及び（ｉｉ）前記被験者が以前装着していた眼鏡の屈折データのうちの少なくとも１つを考慮する、請求項２９に記載のシステム。
【請求項３１】
前記入力装置モジュールは、キーボード、タッチスクリーン、及び他の装置からのタッチフリー電子通信からなる群のうちの１つを含む、請求項２４に記載のシステム。
【請求項３２】
前記眼鏡の複数の処方は、球面収差をさらに含む、請求項２４に記載のシステム。
【請求項３３】
眼鏡の屈折処方を判定するシステムであって、
被験者の複数の初期処方を受け取るように構成された入力装置モジュールを備え、前記複数の初期処方は、（ｉ）第１の初期球面屈折力Ｆｓ１、第１の初期円柱屈折力Ｆｃ１、及び第１の初期円柱角度Ｆａ１を有する第１の初期処方と、（ｉｉ）第２の初期球面屈折力Ｆｓ２、第２の初期円柱屈折力Ｆｃ２、及び第２の初期円柱角度Ｆａ２を有する第２の初期処方とを含み、前記システムはさらに、
前記複数の初期処方に基づく複数の主観的球面屈折力を判定するための主観的屈折矯正を行うよう構成されるフォロプターモジュールを備え、前記複数の主観的球面屈折力は、第１の主観的球面屈折力ｆｓ１と第２の主観的球面屈折力ｆｓ２とを含み、前記フォロプターモジュールは、複数の球面レンズと円柱レンズとを含み、前記円柱レンズの制御は、前記複数の初期処方にのみ基づいており、前記主観的屈折矯正は、前記フォロプターモジュールを介して表を読み取る前記被験者からの主観的フィードバックを必要とし、前記システムはさらに、
前記複数の初期処方及び前記主観的屈折矯正から眼鏡の複数の処方を生成するように構成された出力モジュールを備え、前記複数の処方は、（ａ）前記第１の主観的球面屈折力ｆｓ１、前記第１の初期円柱屈折力Ｆｃ１、及び前記第１の初期円柱角度Ｆａ１を有する第１の処方と、（ｂ）前記第２の主観的球面屈折力ｆｓ２、前記第２の初期円柱屈折力Ｆｃ２、及び前記第２の初期円柱角度Ｆａ２を有する第２の処方とを含む、前記出力モジュールとを含む、システム。
【請求項３４】
前記入力装置モジュールは、キーボード、タッチスクリーン、及び他の装置からのタッチフリー電子通信からなる群のうちの１つを含む、請求項３３に記載のシステム。
【請求項３５】
前記眼鏡の複数の処方は球面収差をさらに含む、請求項３３に記載のシステム。
【発明の詳細な説明】
【技術分野】
【０００１】
関連出願の相互参照
本願は、１）２０１６年５月１１日に出願された「Ｍｅｔｈｏｄｓ  ａｎｄ  Ｓｙｓｔｅｍｓ  ｆｏｒ  Ｄｅｔｅｒｍｉｎｉｎｇ  Ｒｅｆｒａｃｔｉｖｅ  Ｃｏｒｒｅｃｔｉｏｎｓ  ｏｆ  Ｈｕｍａｎ  Ｅｙｅｓ  ｆｏｒ  Ｅｙｅｇｌａｓｓｅｓ」と題する米国特許出願公開第１５／１５１，４９１号、及び、２）２０１６年５月１２日に出願された中国特許出願公開第２０１６１０３１６７６３．６号の優先権を主張するものである。それらのすべては、あらゆる目的のために参照により本明細書に組み込まれる。
【背景技術】
【０００２】
消費者は、頻繁に新しい眼鏡に適応しなければならず、そのことは眼鏡業界において公知の問題である。多くの場合、それは新しい眼鏡の像の歪みに関係し、新しい眼鏡に適応することが、時に一部の人々にとって非常に苦痛な過程となる場合がある。眼鏡による像の歪みが適切に処理されない場合、３つの結果が生じる。第１に、個々の経験は人によって異なるが、消費者は、新しい眼鏡に１週間から２週間かけて慣れることがある。第２に、消費者がそれらにまったく慣れないという理由で、著しい割合の購入された新しい眼鏡は放置される。新しい眼鏡は個人の視力を改善し、新しい眼鏡に慣れることは個人の責任と考えられているため、このことは金銭的損失を引き起こす。第３に、一部の人々は、様々な眼鏡店のあらゆる眼鏡に慣れなければ、完全に眼鏡をやめる。
【０００３】
図１に示す従来の屈折矯正プロセスでは、眼鏡の処方への出発点ならびに終了点を設定するために、個々の検眼士（眼鏡士）の経験および技能に頼っている。第１に、眼の屈折異常の客観的（他覚的）な測定を行い、球面屈折力Ｆｓ、円柱屈折力Ｆｃ及び円柱角度Ｆａを含む大まかな客観的処方１２を提示するために、オートリフレクタ１１が典型的に用いられる。第２に、検眼士（または眼鏡士）は、フォロプター１３で大まかな球面矯正を測定し、次いで、客観的処方に基づいて球面屈折力、円柱屈折力及び円柱角度の主観的（自覚的）最適化を施す。主観的最適化は、検眼士または眼鏡士の経験及び技能、ならびに被験者（すなわち患者）の主観的フィードバックに基づく。主観的屈折矯正のステップ１６では、被験者にまず乱視検査表を見せ、その後に視力表を見せることにより、円柱角度を主観的に最適化する。検眼医（眼鏡士）は、客観的処方ならびに被験者のフィードバックに基づいて、円柱角度を設定／変更する。主観的屈折矯正のステップ１７において、被験者に視力表を見せることによって円柱屈折力が主観的に最適化され、検眼士（眼鏡士）は、被験者の客観的処方及びフィードバックに基づいて、円柱屈折力を設定／変更する。主観的屈折矯正のステップ１８において、球面屈折力は被験者に視力表を見せることにより主観的に最適化され、検眼医（眼鏡士）は被験者のフィードバックに基づいて球面屈折力を設定／変更する。被験者の他方の眼に対しても同じプロセスを繰り返す。第３に、主観的に最適化された球面屈折力Ｆｓ、主観的に最適化された円柱屈折力Ｆｃ、及び主観的に最適化された円柱角度Ｆａを用いて、各々の眼に対して眼鏡の最終処方（主観的屈折矯正１４）を判定する。この従来の屈折矯正方法は、新たな眼鏡を用いて視力を改善する目的に非常に役立つ。しかし、被験者が、購入した新しい眼鏡による改善された視力を好むかどうかは、別の問題である。
【０００４】
結果として、視力矯正のための多くの構成及び方法が当技術分野において知られているが、眼鏡に伴う像の歪みを低減及び排除するための改良された方法及び装置を提供する必要がある。
【発明の概要】
【課題を解決するための手段】
【０００５】
いくつかの実施形態で、眼鏡の屈折処方を判定する方法を提供する。客観的屈折矯正装置は、被験者の眼の屈折異常を客観的に測定するために使用され、客観的屈折矯正装置は、被験者からの主観的フィードバックを除外する。客観的に測定された眼の屈折異常から被験者の複数の客観的処方が生成される。複数の客観的処方は、（ｉ）第１の客観的球面屈折力Ｆｓ１、第１の客観的円柱屈折力Ｆｃ１、及び第１の客観的円柱角度Ｆａ１を有する第１の客観的処方と、（ｉｉ）第２の客観的球面屈折力Ｆｓ２、第２の客観的円柱屈折力Ｆｃ２、及び第２の客観的円柱角度Ｆａ２を有する第２の客観的処方とを含む。第１の客観的処方の第１の客観的円柱屈折力Ｆｃ１と第１の客観的円柱角度Ｆａ１は、像の質のために最適化され、第２の客観的処方の第２の客観的円柱屈折力Ｆｃ２と第２の客観的円柱角度Ｆａ２は、第１の客観的処方のそれと比較して低下される像の質のため、または異なる方向で低減される倍率差を得るために判定される。フォロプターを用いて主観的屈折矯正を行い、複数の主観的な球面屈折力を判定する。複数の主観的球面屈折力は、第１の主観的球面屈折力ｆｓ１と第２の主観的球面屈折力ｆｓ２とを含む。フォロプターは複数の球面レンズと円柱レンズを有し、円柱レンズの制御は複数の客観的処方にのみ基づいている。主観的屈折矯正は、フォロプターを介して表を読み取る被験者からの主観的フィードバックを必要とする。複数の客観的処方及び主観的屈折矯正から眼鏡の複数の処方が生成される。眼鏡の複数の処方は、（ａ）第１の主観的球面屈折力ｆｓ１、第１の客観的円柱屈折力Ｆｃ１、及び第１の客観的円柱角度Ｆａ１を有する第１の処方と、（ｂ）第２の主観的球面屈折力ｆｓ２、第２の客観的円柱屈折力Ｆｃ２、及び第２の客観的円柱角度Ｆａ２を有する第２の処方とを含む。
【０００６】
いくつかの実施形態では、眼鏡の屈折処方を判定するためのシステムは、客観的屈折矯正モジュールと計算モジュールとを含む。客観的屈折矯正モジュールは、被験者からの主観的なフィードバックなしに、被験者の眼の屈折異常を客観的に測定するように構成される。計算モジュールは、客観的に測定された眼の屈折異常から被験者の複数の客観的処方を生成するように構成される。複数の客観的処方は、（ｉ）第１の客観的球面屈折力Ｆｓ１、第１の客観的円柱屈折力Ｆｃ１、及び第１の客観的円柱角度Ｆａ１を有する第１の客観的処方と、（ｉｉ）第２の客観的球面屈折力Ｆｓ２、第２の客観的円柱屈折力Ｆｃ２、及び第２の客観的円柱角度Ｆａ２を有する第２の客観的処方とを含む。第１の客観的処方の第１の客観的円柱屈折力Ｆｃ１及び第１の客観的円柱角度Ｆａ１が像の質のために最適化され、第２の客観的処方の第２の客観的円柱屈折力Ｆｃ２及び第２の客観的円柱角度Ｆａ２が、第１の客観的処方のそれと比較して低下される像の質のために、または異なる方向で低減される倍率差を得るために判定される。特定の実施形態では、システムはまた、フォロプターモジュール及び出力モジュールを含む。フォロプターモジュールは、計算モジュールからの複数の客観的処方に基づいて複数の主観的球面屈折力を判定するための主観的屈折矯正を実行するように構成される。複数の主観的球面屈折力は、第１の主観的球面屈折力ｆｓ１と第２の主観的球面屈折力ｆｓ２とを含む。フォロプターモジュールは、複数の球面レンズと円柱レンズとを有し、円柱レンズの制御は、複数の客観的処方にのみ基づいている。主観的屈折矯正は、フォロプターモジュールを介して表を読み取る被験者からの主観的フィードバックを必要とする。出力モジュールは、複数の客観的処方及び主観的屈折矯正から眼鏡の複数の処方を生成するように構成される。複数の処方は、（ａ）第１の主観的球面屈折力ｆｓ１、及び第１の客観的円柱屈折力Ｆｃ１、第１の客観的円柱角度Ｆａ１を有する第１の処方と、（ｂ）第２の主観的球面屈折力ｆｓ２、第２の客観的円柱屈折力Ｆｃ２、及び第２の客観的円柱角度Ｆａ２を有する第２の処方とを含む。
【０００７】
いくつかの実施形態では、眼鏡の屈折処方を判定するためのシステムは、入力装置モジュール、計算モジュール、フォロプターモジュール及び出力モジュールを含む。入力装置モジュールは、被験者の眼の屈折データセットを受け取るように構成されている。計算モジュールは、屈折データセットから眼に対する複数の初期処方を生成するように構成され、複数の初期処方は、（ｉ）第１の初期球面屈折力Ｆｓ１、第１の初期円柱屈折力Ｆｃ１、及び第１の初期円柱角度Ｆａ１を有する第１の初期処方と、（ｉｉ）第２の初期球面屈折力Ｆｓ２、第２の初期円柱屈折力Ｆｃ２、及び第２の初期円柱角度Ｆａ２を有する第２の初期処方とを含む。第１の初期処方の第１の初期円柱屈折力Ｆｃ１及び第１の初期円柱角度Ｆａ１は像の質のために最適化され、第２の初期処方の第２の初期円柱屈折力Ｆｃ２及び第２の初期円柱角度Ｆａ２は、第１の初期処方のそれと比較して低下される像の質のため、または異なる方向で低減される倍率差を得るために判定される。フォロプターモジュールは、複数の初期処方に基づいて複数の主観的球面屈折力を判定するための主観的屈折矯正を実行するように構成される。複数の主観的球面屈折力は、第１の主観的球面屈折力ｆｓ１と第２の主観的球面屈折力ｆｓ２とを含む。フォロプターは複数の球面レンズと円柱レンズを有し、円柱レンズの制御は複数の初期処方にのみ基づいている。主観的屈折矯正は、フォロプターを介して表を読み取る被験者からの主観的フィードバックを必要とする。出力モジュールは、複数の客観的処方及び主観的屈折矯正から眼鏡の複数の処方を生成するように構成され、複数の処方は、（ａ）第１の主観的球面屈折力ｆｓ１、第１の初期円柱屈折力Ｆｃ１、及び第１の初期円柱角度Ｆａ１を有する第１の処方と、（ｂ）第２の主観的球面屈折力ｆｓ２、第２の初期円柱屈折力Ｆｃ２、及び第２の初期円柱角度Ｆａ２を有する第２の処方を含む。
【０００８】
いくつかの実施形態では、眼鏡の屈折処方を判定するためのシステムは、入力装置モジュール、フォロプターモジュール及び出力モジュールを含む。入力装置モジュールは、複数の初期処方を受け取るように構成される。複数の初期処方は、（ｉ）第１の初期球面屈折力Ｆｓ１、第１の初期円柱屈折力Ｆｃ１、及び第１の初期円柱角度Ｆａ１を有する第１の初期処方と、（ｉｉ）第２の初期球面屈折力Ｆｓ２、第２の初期円柱屈折力Ｆｃ２、及び第２の初期円柱角度Ｆａ２を有する第２の初期処方とを含む。フォロプターモジュールは、複数の初期処方に基づく複数の主観的球面屈折力を判定するための主観的屈折矯正を行うよう構成される。複数の主観的球面屈折力は、第１の主観的球面屈折力ｆｓ１と第２の主観的球面屈折力ｆｓ２とを含む。フォロプターモジュールは、複数の球面レンズと円柱レンズとを含み、円柱レンズの制御は、複数の初期処方にのみ基づいている。主観的屈折矯正は、フォロプターモジュールを介して表を読み取る被験者からの主観的フィードバックを必要とする。出力モジュールは、複数の初期処方及び主観的屈折矯正から眼鏡の複数の処方を生成するように構成され、複数の処方は、（ａ）第１の主観的球面屈折力ｆｓ１、第１の初期円柱屈折力Ｆｃ１、及び第１の初期円柱角度Ｆａ１を有する第１の処方と、（ｂ）第２の主観的球面屈折力ｆｓ２、第２の初期円柱屈折力Ｆｃ２、及び第２の初期円柱角度Ｆａ２を有する第２の処方とを含む。
【図面の簡単な説明】
【０００９】
【図１】当技術分野において知られる眼鏡の屈折処方を判定する従来の方法のフローチャートを示す。
【図２】当技術分野において知られる眼鏡の屈折処方を判定するために使用される波面法のフローチャートを示す。
【図３】いくつかの実施形態による眼鏡の屈折処方を判定するための改善方法のフローチャートを示す。
【図４】いくつかの実施形態による眼鏡の屈折処方を判定するための改善されたシステムのブロック図を示す。
【図５】本開示の別の実施形態における、眼鏡の屈折処方を判定するための改善されたシステムのブロック図を示す。
【図６】本開示のさらに別の実施形態における、眼鏡の屈折処方を判定するための改善されたシステムのブロック図を示す。
【図７】本開示のさらに別の実施形態における、眼鏡の屈折処方を判定するための改善されたシステムのブロック図を示す。
【発明を実施するための形態】
【００１０】
ここで、開示された発明の実施形態を詳細に参照するが、その１つまたは複数の例が添付の図面に示されている。各例は、本技術の限定としてではなく、本技術の説明のために提供される。実際に、その範囲から逸脱することなく、本技術において変更及び変形が可能であることは、当業者には明らかである。例えば、一実施形態の一部として図示または説明する特徴は、さらなる実施形態を生み出すために他の実施形態と共に使用できる。したがって、本主題は、添付の特許請求の範囲及びそれらの均等の範囲内に入るそのような変更及び変形を包含することを意図している。
【００１１】
図２は、そのすべてが参照により本明細書に組み込まれる、米国特許第８，４１９，１８５号、米国特許第８，８２７，４４８号、及び「Ｍｅｔｈｏｄｓ  ａｎｄ  Ｄｅｖｉｃｅｓ  ｆｏｒ  Ｒｅｆｒａｃｔｉｖｅ  Ｃｏｒｒｅｃｔｉｏｎ  ｏｆ  Ｅｙｅｓ」と題された、米国特許出願第１４，４６５，７５５号に記載された方法に関連する、波面測定に基づくカスタム化される屈折矯正のための昨今開発された方法を示す。第１に、波面収差計２１を使用して、眼のすべての屈折異常を測定する。波面収差計は、波面センサを用いて焦点誤差や乱視（円柱屈折力及び円柱角度）だけでなく、コマ収差、球面収差、及び眼の他のあらゆる不規則な収差などの高次の収差も正確に計測するため、従来のオートレフレクタよりも精度が高い。第２に、波面最適化球面屈折力Ｆｓ、波面最適化円柱屈折力Ｆｃ、及び波面最適化円柱角度Ｆａを有する被験眼に対して波面処方２２が生成される。このようにして、眼の波面最適化円柱屈折力Ｆｃ、及び波面最適化円柱角度Ｆａが、波面センサの精度の高さと、あらゆる高次の収差に関する波面最適化に起因して、波面屈折で確定される。第３に、主観的最適化のためにフォロプター２３が使用される。操作者（例えば、検眼士または眼鏡士）は、客観的波面屈折に従ってフォロプターを設定し、被験者（患者）に球面屈折力を主観的に最適化するよう求める。被験者が視力表を見ると、視力の専門家（本開示の目的に対して検眼士または眼鏡士という用語と互換的に使用されるものとする）は、検査される患者のフィードバックに基づいて球面屈折力を修正する。被験者の他方の眼に対しても同じプロセスを繰り返す。第３に、眼鏡の最終処方２４は、主観的に最適化された球面屈折力Ｆｓ、波面最適化円柱屈折力Ｆｃ、及び波面最適化円柱角度Ｆａを用いて、各々の眼に対して判定する。
【００１２】
図２の波面法は、図１の従来の屈折矯正よりも視力を改善するものである。しかし、図１の従来の主観的屈折矯正と同様に、被験者が波面カスタマイズされた眼鏡による改善視力を好むかどうかは異なる問題である。
【００１３】
眼鏡のレンズは、通常人間の眼の角膜の頂点の１２．５ｍｍ前にあるが、一方で人間の眼の節点は、人間の解剖学的構造において角膜の頂点の約７ｍｍ後方にある。レンズから節点までのこの１９．５ｍｍという距離は、眼鏡を用いて、負レンズに対する網膜像の縮小（近視矯正）と、正レンズに対する網膜像の拡大（遠視矯正）とにつながる。２つの主要な頂点（主経線）において異なる屈折力を有する眼鏡の円柱屈折力を有するトーリックレンズは、２つの主要な頂点での主経線における倍率差を生じさせ、眼鏡の像の歪みをもたらす。この像の歪みは、視力表の文字の大きさが小さすぎて被験者が像の歪みに気付かないため、屈折矯正プロセスでは検出できないが、消費者の新たな眼鏡での経験に大きな影響を及ぼす可能性がある。
【００１４】
像の歪みのこの問題は、確かに、従来技術の図２の波面屈折矯正技法で対処できないだけでなく、図１の従来の屈折矯正技法でも扱えない。
【００１５】
図１に示す従来の屈折矯正プロセスでは、開始時及び終了時の眼鏡の円柱屈折力を設定するために、個々の検眼士（眼鏡士）の経験及び技能に依存する。この従来のアプローチは、少なくとも３つの欠点を有する。第１に、視力の専門家の経験に頼るプロセスは科学的ではないため、最適な結果は通常得られない。第２に、個々の視力の専門家は過去に独自の経験を経ており、それがまた個々の視力の専門家ごとに経時的に変化するため、プロセスを標準化することができない。第３に、このプロセスは像の歪みの個人の許容差を考慮しておらず、人々は、個々の検眼士または眼鏡士による「万人に当てはまる」解決策が、実際にはそうであるはずもないのに、施される。
【００１６】
本開示は、眼鏡の像の歪みを低減または除去するための方法及びシステムを含む。
一実施形態では、眼鏡の屈折処方を判定するための改善された方法が、図３に示されるように記載される。
【００１７】
図３の第１のステップ３１において、客観的に人間の眼の屈折異常を測定するために、客観的屈折矯正装置が用いられている。被験者からの主観的なフィードバックを除外する、すなわち含まない客観的屈折矯正装置は、眼の屈折異常の正確で客観的な測定（３２）を提供するべきである。屈折異常は、眼の焦点誤差、円柱誤差、円柱屈折力、コマ収差、及び球面収差を含み得る。第２のステップ３３ａ／３３ｂでは、客観的に測定された人間の眼の屈折異常から、複数の客観的処方が生成される。一実施形態では、複数の客観的処方は、第１の客観的に判定された球面屈折力Ｆｓ１、第１の客観的に判定された円柱屈折力Ｆｃ１、及び第１の客観的に判定された円柱角度Ｆａ１を有する少なくとも第１の客観的処方３３ａ、及び第２の客観的に判定された球面屈折力Ｆｓ２、第２の客観的に判定された円柱屈折力Ｆｃ２、及び第２の客観的に判定された円柱角度Ｆａ２を有する第２の客観的処方３３ｂを含む。一実施形態では、第１の客観的処方は、像の質のために（例えば最高の像の質を提供するために）最適化されるが、第２の客観的処方は、第１の客観的処方のそれと比較して低下される像の質のために、または異なる方向で低減される倍率差を得るために最適化される。いくつかの実施形態では、３つ以上の客観的処方３３ａ、３３ｂを生成することができる。
【００１８】
図３の第３のステップにおいて、主観的屈折矯正を行って複数の主観的球面屈折力を主観的に判定するために、フォロプター３４（本開示ではまたフォロプターモジュールと称することがある）が使用される。一実施形態では、複数の主観的球面屈折力は、少なくとも第１の主観的に最適化された球面誤差ｆｓ１（３５ａ）及び第２の主観的に最適化された球面屈折力ｆｓ２（３５ｂ）を含む。球面屈折力（ｓｐｈｅｒｉｃａｌ  ｐｏｗｅｒ）という用語は、業界では焦点屈折力（ｆｏｃｕｓ  ｐｏｗｅｒ）としても知られていることに留意されたい。フォロプター３４は、フォロプターを通して見る被験者の眼前に配置され、焦点誤差及び円柱誤差の矯正のために異なる矯正レンズを選択することができるように、複数の球面レンズ及び円柱レンズを含む。被験者は、フォロプターのレンズ越しに見て、視力表で認識できるものについてフィードバックする。操作者（検眼士または眼鏡士）は、フォロプターの球面屈折力を変更し、ステップ３４に先行して予め生成した客観的処方間で切り替えることのみ可能である。フォロプターにおける円柱レンズの制御は、自動的に生成される複数の客観的処方（例えば３３ａ、３３ｂ）のみに基づき、円柱レンズを操作者が変更することは禁止される。すなわち、ステップ３４においてフォロプターを使用する場合、サブステップ３７は、客観的屈折矯正３３ａまたは３３ｂのうちの１つを選択することを含む。視力の専門家は、サブステップ３８で球面屈折力の設定を行う。したがって、フォロプターは、サブステップ３９において、２つの選択肢を患者に提示することができる。すなわち、球面屈折力Ｆｓ＋δＦｓ（δは主観的評価で行われる調整を表す）と共に客観的円柱屈折力Ｆｃ１及び客観的円柱角度Ｆａ１を使用するオプション１、または球面屈折力Ｆｓ＋δＦｓと共に客観的円柱屈折力Ｆｃ２及び客観的円柱角度Ｆａ２を用いるオプション２という選択肢である。球面屈折力を主観的に最適化する前に、球面屈折力がサブステップ３８で調整され、評価中の処方オプション（オプション１または２）に対して球面屈折力を最適化するまで、サブステップ３９に示している設定を使用しながら、主観的評価を繰り返す。１つのオプションの球面屈折力の評価が完了した後、サブステップ３９ｂで他方の未検査の処方が選択され、プロセスが繰り返される。球面屈折力がオプション１及びオプション２の両方に対して主観的に最適化されると、オプション１及びオプション２が終了し、オプション１が第１の主観的に最適化された球面誤差ｆｓ１（３５ａ）に至り、オプション２が第２の主観的に最適化された球面屈折力ｆｓ２（３５ｂ）に至る。
【００１９】
図３の第４のステップにおいて、少なくとも、第１の主観的球面屈折力ｆｓ１、第１の客観的円柱屈折力Ｆｃ１、及び第１の客観的円柱角度Ｆａ１を有する眼鏡の第１の処方３６ａと、第２の主観的球面屈折力ｆｓ２、第２の客観的円柱屈折力Ｆｃ２、及び第２の客観的円柱角度Ｆａ２を有する第２の処方３６ｂとを含む、眼鏡の複数の処方が生成される。いくつかの実施形態では、眼鏡の３つ以上の処方３６ａ、３６ｂが生成できる。そのとき、これらの眼鏡用の処方は、患者が像の歪みを低減または排除するための最適な選択肢を選択することを助けるために利用することができる。
【００２０】
この実施形態の一態様では、方法は、被験者によって与えられた最終的な好みに従って、眼鏡の最終処方を生成することをさらに含む。複数の処方による眼鏡は、被験者の顔に装着された１つ以上の眼鏡フレームに提示される複数の試用レンズによって実現される。次いで、試用レンズを装着することにより、被験者は最終的な好みを選択することができ、それに対して眼鏡の処方は最良の視力を提供する。
【００２１】
図３の改善方法は、図１に示す従来のプロセスの３つの欠点を克服する。第１に、本開示による改善方法は、像の歪みの問題を扱う視力の専門家の経験に依存せず、実際に検眼士／眼鏡士がその経験と技能に基づいて円柱屈折力及び円柱角度を変更できないようにする。これにより、屈折矯正プロセスが標準化される。第２に、図１のような検眼士または眼鏡士による従来のプロセスにおける「万人に当てはまる」処方、及び図２の波面カスタマイズされた処方のみを得る代わりに、改善された方法によって、像の歪みの影響に関して差異のある少なくとも２つの異なる解決策が得られる。これにより、個々の消費者は像の歪みに気付くことなく最良の眼鏡を見つけることができる。これは、像の歪みの許容差の個人差の問題を解決する。第３に、この改善方法により、科学的な計算に基づく客観的に最適化された結果が得られる。複数の処方における円柱屈折力または円柱角度の差異は、１）客観的に測定された眼の屈折異常による眼の球面屈折力と円柱屈折力との比（これは、当業者が各処方での倍率の比を自動的かつ正確に計算できるようにし、異なるレベルの像の歪みに関する解決策を提供する）、２）眼におけるコマ収差と円柱屈折力及び円柱角度との関係、３）客観的に測定された眼の屈折異常に従う円柱屈折力の絶対値、４）客観的に測定された眼の屈折異常に従う円柱角度の絶対値、５）眼鏡の最終的な像の歪みが眼鏡を介した両眼の知覚によって判定されることによる、同じ被験者の両眼における円柱角度間の関係、及び６）被験者が経てきた以前のレベルの像の歪みを表す、被験者が以前装着していた古い眼鏡の円柱屈折力及び円柱角度、を非限定的に含む複数の要素に基づいて客観的に判定される。
【００２２】
いくつかの実施形態では、客観的屈折矯正装置は、眼の波面収差を測定することを含み、波面収差は、眼のコマ収差及び球面収差を含む。
【００２３】
いくつかの実施形態では、生成された複数の客観的処方は、円柱屈折力が異なり、及び／または円柱角度が異なる。例えば、第１の客観的円柱屈折力Ｆｃ１と第２の客観的円柱屈折力Ｆｃ２とは互いに異なる。他の実施形態では、第１の客観的円柱角度Ｆａ１と第２の客観的円柱角度Ｆａ２は互いに異なっている。
【００２４】
いくつかの実施形態では、この方法は、被験者の左眼及び右眼用の屈折データ、または被験者が以前装着していた古い眼鏡の屈折データを考慮に入れるようにさらに構成されている。
【００２５】
いくつかの実施形態では、眼鏡の最終処方は、球面収差をさらに含む。
さらに他の態様では、本開示の方法は、眼鏡の屈折処方を判定するためのシステムのための情報処理方法を含む。
【００２６】
図４は、被験者に対する眼鏡の屈折処方を判定すべく、図３の改善方法を実施するために使用されるシステム４０の実施形態のブロック図を示す。システム４０は、人間の眼の屈折異常を客観的に測定する客観的屈折矯正モジュール４１を備える。客観的な測定は被験者のいかなる主観的フィードバックをも含まない。客観的屈折矯正モジュールまたは装置４１は、例えば、眼の焦点誤差、円柱誤差、円柱角度、球面収差及びコマ収差を含む眼のすべての収差を測定する波面収差計であってもよい。いくつかの実施形態では、客観的屈折矯正装置４１は、眼の焦点誤差及び円柱誤差を正確に測定することができる改良型オートリフレクタであってもよい。システム４０はまた、客観的に測定された人間の眼の屈折異常から複数の客観的処方を生成する計算モジュール４２を含む。一実施形態では、複数の客観的処方は、少なくとも、第１の客観的球面屈折力Ｆｓ１、第１の客観的円柱屈折力Ｆｃ１、及び第１の客観的円柱角度Ｆａ１を有する第１の客観的処方４３ａと、第２の客観的球面屈折力Ｆｓ２、第２の客観的円柱屈折力Ｆｃ２、第２の客観的円柱角度Ｆａ２を有する第２の客観的処方４３ｂとを含む。一実施形態では、第１の客観的処方４３ａは、最高の像の質を提供するためなど、像の質のために最適化し、一方で第２の客観的処方４３ｂは、第１の客観的処方のそれと比較して低下される像の質のために、または異なる方向で低減される倍率差を得るために判定される。
【００２７】
システム４０はまた、計算モジュール４２からの複数の客観的処方４３ａ、４３ｂを利用するフォロプターモジュール４４を含む。フォロプターモジュール４４は、複数の客観的処方に基づき複数の主観的球面屈折力を主観的に判定するために、主観的屈折矯正を行うように構成される。一実施形態では、複数の主観的球面屈折力は、少なくとも第１の主観的球面屈折力４５ａ（ｆｓ１）と第２の主観的球面屈折力４５ｂ（ｆｓ２）とを含む。フォロプター４４は、複数の球面レンズと円柱レンズ、及び円柱レンズの制御を含み、フォロプターを通して見るべき被験者の眼前に配置され、異なる矯正レンズを、眼の円柱誤差だけでなく、焦点誤差の矯正のために選択できるようにする。被験者は、フォロプターのレンズ越しに見て、視力表などの表で認識できることについてフィードバックする。操作者（検眼士、眼鏡士、または被験者さえも）は、フォロプターの球面屈折力を変更することのみが可能である。フォロプターにおける円柱レンズの制御は、自動的にのみ生成される複数の客観的処方に基づいており、操作者による変更が禁止されている。主観的屈折矯正は、フォロプターを介して表を読み取って主観的なフィードバックをする被験者の主観的フィードバックを必要とする。
【００２８】
システム４０はまた、少なくとも第１の処方４７ａ及び第２の処方４７ｂを含む眼鏡の複数の処方を生成するための出力モジュール４６を含む。第１の処方には、主観的球面屈折力ｆｓ１、第１の客観的円柱屈折力Ｆｃ１、及び第１の客観的円柱角度Ｆａ１が含まれる。第２の処方４７ｂは、第２の主観的球面屈折力ｆｓ２と、第２の客観的円柱屈折力Ｆｃ２と、第２の客観的円柱角度Ｆａ２とを含む。
【００２９】
いくつかの実施形態では、客観的屈折矯正装置４１は、レンズアレイ波面センサを使用して眼の波面誤差を測定することに関与する。
【００３０】
いくつかの実施形態では、生成される複数の客観的処方４３ａ、４３ｂは、円柱屈折力が異なり、及び／または円柱角度が異なる。
【００３１】
いくつかの実施形態では、システム４０の眼鏡の処方４７ａ及び４７ｂは、被験者の左眼及び右眼用の屈折データ、または被験者が装着していた古い眼鏡の屈折データを考慮に入れるようにさらに構成されている。
【００３２】
いくつかの実施形態では、眼鏡の最終処方４７ａ、４７ｂは、球面収差をさらに含む。
さらに別の実施形態では、図５は、複数の客観的処方を生成するためのシステム５０のブロック図を示す。システム５０は図４のサブシステムであり、被験者に対する眼鏡の屈折処方を判定する。システム５０は、人間の眼の屈折異常を客観的に測定する客観的屈折矯正モジュール５１と、計算モジュール５２とを含む。客観的な測定は、被験者のいかなる主観的なフィードバックをも含まない。客観的屈折矯正装置５１は、例えば、焦点誤差、円柱誤差、球面収差及びコマ収差を含む眼のすべての収差を測定する波面収差計とすることができる。客観的屈折矯正装置５１は、焦点誤差及び円柱誤差を正確に測定することができる改良版オートリフレクタであってもよい。システム５０はまた、客観的屈折矯正装置５１によって客観的に測定された人間の眼の屈折異常から複数の客観的処方を生成する計算モジュール５２を含む。一実施形態において、複数の客観的処方は、少なくとも第１の客観的処方５３ａと第２の客観的処方５３ｂとを含む。第１の客観的処方５３ａは、第１の客観的球面屈折力Ｆｓ１、第１の客観的円柱屈折力Ｆｃ１、及び第１の客観的円柱角度Ｆａ１を有する。第２の客観的処方５３ｂは、第２の客観的球面屈折力Ｆｓ２、第２の客観的円柱屈折力Ｆｃ２、及び第２の客観的円柱角度Ｆａ２を有する。
【００３３】
この実施形態のいくつかの態様では、生成される複数の客観的処方５３ａ、５３ｂは、円柱屈折力が異なり、及び／または円柱角度が異なる。
【００３４】
この実施形態のいくつかの態様では、システム５０の複数の客観的処方５３ａ及び５３ｂは、被験者の左眼及び右眼用の屈折データ、または被験者が以前装着していた眼鏡の屈折データを考慮に入れるようにさらに構成されている。
【００３５】
この実施形態のいくつかの態様では、複数の客観的処方５３ａ、５３ｂは、球面収差をさらに含む。
【００３６】
この実施形態のいくつかの態様では、システム５０は、複数の客観的処方の主観的な精緻化、特に球面屈折力の主観的な精密化（屈折矯正）のためのフォロプターモジュールと組み合わせられるようにさらに構成される。
【００３７】
さらに別の実施形態では、図６は、入力装置が眼の屈折データを受け取るために使用されるシステム６０を示す。システム６０は同様に、図４の修正されたサブシステムであり、被験者に対する眼鏡の屈折処方を判定するためのものである。システム６０は、眼の屈折データセットを受け取るように構成された入力装置モジュール６１を含み、屈折データセットは、少なくとも入力される球面屈折力、入力される円柱屈折力、及び入力される円柱角度を含み、眼のコマ収差及び球面収差も含むことができる。システム６０の計算モジュール６２は、受け取った眼の屈折データセットから複数の初期処方を生成する。一実施形態では、受け取った屈折データセットから生成される複数の初期処方は、少なくとも第１及び第２の初期処方６３ａ及び６３ｂを含む。第１の初期処方６３ａは、第１の初期球面屈折力Ｆｓ１、第１の初期円柱屈折力Ｆｃ１及び第１の初期円柱角度Ｆａ１を有する。第２の初期処方６３ｂは、第２の初期球面屈折力Ｆｓ２、第２の初期円柱屈折力Ｆｃ２、及び第２の初期円柱角度Ｆａ２を有する。一実施形態では、第１の初期処方は、最高の像の質を提供するなど像の質のために最適化されるが、一方で第２の初期処方は、第１の初期処方と比較すると低下する像の質のために、または異なる方向で低減される倍率差を得るために判定される。いくつかの実施形態では、３つ以上の初期処方６３ａ及び６３ｂを生成してもよい。
【００３８】
フォロプターモジュール６４は、複数の初期処方（例えば、６３ａ及び６３ｂ）を計算モジュール６２から取得する。フォロプターモジュール６４は、主観的に複数の球面屈折力を判定するように構成されている。一実施形態では、複数の主観的球面屈折力は、少なくとも第１の主観的球面屈折力６５ａ  ｆｓ１と第２の主観的球面屈折力６５ｂ  ｆｓ２とを含む。フォロプター６４は、フォロプターそれを通して見る被験者の眼前に配置され、眼の焦点誤差及び円柱誤差の矯正のために異なる矯正レンズを選択することができるように、複数の球面レンズ及び円柱レンズを含む。被験者は、フォロプターのレンズ越しに見て、視力表で認識できるものについてフィードバックする。操作者（検眼士または眼鏡士）は、フォロプターの球面屈折力を変更することのみが可能である。フォロプターにおける円柱レンズの制御は、自動的に生成される複数の客観的処方のみに基づいており、操作者による変更が禁止されている。
【００３９】
システム６０はまた、眼鏡のための複数の処方を生成するための出力モジュール６６を含み、複数の処方は、主観的球面屈折力ｆｓ１、第１の初期円柱屈折力Ｆｃ１、及び第１の初期円柱角度Ｆａ１を有する少なくとも第１の処方６７ａを含む。眼鏡の複数の処方はまた、第２の主観的球面屈折力ｆｓ２、第２の初期円柱屈折力Ｆｃ２、及び第２の初期円柱角度Ｆａ２を有する少なくとも第２の処方６７ｂを含む。前の実施形態と同様に、複数の処方は、３つ以上の処方６７ａ、６７ｂを含むことができる。
【００４０】
この実施形態のいくつかの態様では、入力装置モジュール６１は、キーボード、タッチスクリーン、または別の装置からのタッチフリー電子通信のうちの１つを含むが、これらに限定されない。
【００４１】
この実施形態のいくつかの態様では、生成される複数の初期処方６３ａ及び６３ｂは、円柱屈折力が異なり、及び／または円柱角度が異なる。
【００４２】
この実施形態のいくつかの態様では、眼鏡の処方６７ａ及び６７ｂは、被験者の左眼及び右眼用の屈折データ、または被験者が以前装着していた古い眼鏡の屈折データを考慮する。
【００４３】
この実施形態のいくつかの態様では、眼鏡の複数の処方６７ａ及び６７ｂは、眼の球面収差をさらに含む。
【００４４】
さらに別の実施形態では、図７は、人間の対象用の眼鏡の屈折処方を判定するためのシステム７０を示す。このシステムは、複数の初期処方を受け取るように構成された入力装置モジュール７１を含む。一実施形態では、複数の初期処方は、第１の初期球面屈折力Ｆｓ１、第１の初期円柱屈折力Ｆｃ１、及び第１の初期円柱角度Ｆａ１を有する少なくとも第１の初期処方７２ａ、及び第２の初期球面屈折力Ｆｓ２、第２の初期円柱屈折力Ｆｃ２、及び第２の初期円柱角度Ｆａ２を有する第２の初期処方７２ｂを含む。システム７０は、入力装置モジュール７１から複数の初期処方７２ａ、７２ｂを受け取るフォロプターモジュール７３を含む。
【００４５】
フォロプターモジュール７３は、複数の主観的球面屈折力を主観的に判定する、すなわち主観的屈折矯正を行うように構成されている。一実施形態では、複数の主観的球面屈折力は、少なくとも第１の主観的球面屈折力７４ａ（ｆｓ１）と第２の主観的球面屈折力７４ｂ（ｆｓ２）とを含む。フォロプター７３は、フォロプターそれを通して見る被験者の眼前に配置され、眼の焦点誤差及び円柱誤差の矯正のために異なる矯正レンズを選択することができるように、複数の球面レンズ及び円柱レンズを含む。被験者は、フォロプターのレンズ越しに見て、視力表で認識できるものについてフィードバックする。操作者（検眼士または眼鏡士）は、球面レンズを調整することによって、フォロプターの球面屈折力を変更することができるのみである。フォロプターにおける円柱レンズの制御は、自動的にのみ生成される複数の客観的処方に基づいており、操作者による変更が禁止されている。
【００４６】
出力モジュール７５は、少なくとも、主観的球面屈折力ｆｓ１、第１の初期円柱屈折力Ｆｃ１、及び第１の初期円柱角度Ｆａ１を有する第１の処方７６ａと、第２の主観的球面屈折力ｆｓ２、第２の初期円柱屈折力Ｆｃ２、及び第２の初期円柱角度Ｆａ２を有する第２の処方７６ｂとを含む、眼鏡の複数の処方を生成する。
【００４７】
この実施形態のいくつかの態様では、入力装置７１は、キーボード、タッチスクリーン、または別の装置からのタッチフリー電子通信のうちの１つを含むが、これに限定されない。
【００４８】
この実施形態のいくつかの態様では、眼鏡の処方７６ａ及び７６ｂは、被験者の左眼及び右眼用の屈折データを考慮する。眼鏡の処方７６ａ及び７６ｂは、被験者が以前装着していた古い眼鏡の屈折データも考慮に入れることができる。
【００４９】
この実施形態のいくつかの態様では、眼鏡の複数の処方７６ａ、７６ｂは、眼の球面収差をさらに含む。
【００５０】
本明細書は、本発明の特定の実施形態に関して詳細に記載してきたが、当業者が上記の理解を達成すると、これらの実施形態に対する変更、変形及びそれと同等のものを容易に思い付くことができるという旨を認識されたい。本発明のこれらの変更及び変形ならびに他の変更及び変形は、添付の特許請求の範囲にさらに詳細に記載される本発明の範囲から逸脱することなく、当業者によって実施されてもよい。さらに、当業者は、前述の説明は単なる例示であり、本発明を限定することを意図するものではないということを認識するであろう。
【図１】
2019527846.tif 000003
【図２】
2019527846.tif 000004
【図３】
2019527846.tif 000005
【図４】
2019527846.tif 000006
【図５】
2019527846.tif 000007
【図６】
2019527846.tif 000008
【図７】
2019527846.tif 000009
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
眼鏡の屈折処方を判定するシステムであって、
被験者の眼の屈折異常を客観的に測定するよう構成される客観的屈折矯正モジュールを備え、前記客観的屈折矯正モジュールは、前記被験者からの主観的フィードバックを除外し、前記システムはさらに、
客観的に測定された前記眼の前記屈折異常から前記被験者の複数の客観的処方を生成するように構成された計算モジュールを備え、
前記複数の客観的処方は、（ｉ）第１の客観的球面屈折力Ｆｓ１、第１の客観的円柱屈折力Ｆｃ１、及び第１の客観的円柱角度Ｆａ１を有する第１の客観的処方と、（ｉｉ）第２の客観的球面屈折力Ｆｓ２、第２の客観的円柱屈折力Ｆｃ２、及び第２の客観的円柱角度Ｆａ２を有する第２の客観的処方とを含み、
前記第１の客観的処方の前記第１の客観的円柱屈折力Ｆｃ１及び前記第１の客観的円柱角度Ｆａ１が像の質のために最適化され、前記第２の客観的処方の前記第２の客観的円柱屈折力Ｆｃ２及び前記第２の客観的円柱角度Ｆａ２は、前記第１の客観的処方のそれと比較して低下される像の質のため、または異なる方向で低減される倍率差を得るために判定される、システム。
【請求項２】
前記客観的屈折矯正モジュールは、前記眼の波面誤差を測定するようにさらに構成され、前記波面誤差は、前記眼のコマ収差及び球面収差を含む、請求項１に記載のシステム。
【請求項３】
前記第１の客観的円柱屈折力と前記第２の客観的円柱屈折力とは、互いに異なる、請求項１に記載のシステム。
【請求項４】
前記眼鏡の複数の処方は、（ｉ）前記被験者の左眼及び右眼用の屈折データ、及び（ｉｉ）前記被験者が以前装着していた眼鏡の屈折データのうちの少なくとも１つを考慮する、請求項３に記載のシステム。
【請求項５】
前記第１の客観的円柱角度と前記第２の客観的円柱角度とは、互いに異なる、請求項１に記載のシステム。
【請求項６】
前記眼鏡の複数の処方は、（ｉ）前記被験者の左眼及び右眼用の屈折データ、及び（ｉｉ）前記被験者が以前装着していた眼鏡の屈折データのうちの少なくとも１つを考慮する、請求項５に記載のシステム。
【請求項７】
前記眼鏡の複数の処方は、球面収差をさらに含む、請求項１に記載のシステム。
【請求項８】
前記計算モジュールからの前記複数の客観的処方に基づいて複数の主観的球面屈折力を判定するための主観的屈折矯正を実行するように構成されたフォロプターモジュールをさらに備え、
前記複数の主観的球面屈折力は、第１の主観的球面屈折力ｆｓ１と第２の主観的球面屈折力ｆｓ２とを含み、前記フォロプターモジュールは、複数の球面レンズと円柱レンズとを含み、
前記円柱レンズの制御は、前記複数の客観的処方のみに基づいており、前記主観的屈折矯正は、前記フォロプターモジュールを介して表を読み取る前記被験者からの主観的フィードバックを必要とする、請求項１に記載のシステム。
【請求項９】
前記複数の客観的処方及び前記主観的屈折矯正から、眼鏡の複数の処方を生成するように構成された出力モジュールをさらに備え、
前記複数の処方は、（ａ）前記第１の主観的球面屈折力ｆｓ１、前記第１の客観的円柱屈折力Ｆｃ１、及び前記第１の客観的円柱角度Ｆａ１を有する第１の処方と、（ｂ）前記第２の主観的球面屈折力ｆｓ２、前記第２の客観的円柱屈折力Ｆｃ２、及び前記第２の客観的円柱角度Ｆａ２を有する第２の処方とを含む、請求項８に記載のシステム。
【請求項１０】
前記客観的屈折矯正モジュールは、前記眼の波面誤差を測定するようにさらに構成され、前記波面誤差は、前記眼のコマ収差及び球面収差を含む、請求項９に記載のシステム。
【請求項１１】
前記第１の客観的円柱屈折力と前記第２の客観的円柱屈折力とは、互いに異なる、請求項９に記載のシステム。
【請求項１２】
前記眼鏡の複数の処方は、（ｉ）前記被験者の左眼及び右眼用の屈折データ、及び（ｉｉ）前記被験者が以前装着していた眼鏡の屈折データのうちの少なくとも１つを考慮する、請求項１１に記載のシステム。
【請求項１３】
前記第１の客観的円柱角度と前記第２の客観的円柱角度が互いに異なる、請求項９に記載のシステム。
【請求項１４】
前記眼鏡の複数の処方は、（ｉ）前記被験者の左眼及び右眼用の屈折データ、及び（ｉｉ）前記被験者が以前装着していた眼鏡の屈折データのうちの少なくとも１つを考慮する、請求項１３に記載のシステム。
【請求項１５】
前記眼鏡の複数の処方は、球面収差をさらに含む、請求項９に記載のシステム。
【国際調査報告】
2019527846.tif 000010
2019527846.tif 000011
2019527846.tif 000012